(57)【要約】
【課題】小規模な除塵用のスクリーンに取付けでき、簡単な構成で安全に操作でき、かつ安価な簡易往復式除塵機を提供する。
【解決手段】スクリーン１０の両側にガイドレール２０を設け、これに沿って移動および回転自在なレーキ３０を往復駆動手段４０により昇降させる。レーキ３０はガイドレール２０の上部切欠き２１で上面をガイドにスクリーン１０より離間して降下し、またガイドレール２０の下端切欠き２２で下面をガイドにスクリーン１０に当接して上昇しレーキ爪３４にゴミ類を捕捉し、掻き上げ除塵する。往復駆動手段４０は、レーキアーム３１の両側に設けたワイヤーロープ４１をガイドレール２０の上端両側に設けた連動型ワイヤードラムの回転により往復移動する。
【選択図】　　　　図１
0003099747.tif 000002
【実用新案登録請求の範囲】
【請求項１】
水路等に設けられる除塵用のスクリーンに付着するゴミ類をレーキにより掻き上げる往復式除塵機において、前記スクリーンの上面両側にガイドレールを平行に固定し、該ガイドレールの上部上面および下端上面に前記レーキの進路を切り換える切欠きを設け、前記ガイドレールに沿って前記レーキが往復移動する際に、前記ガイドレールの上面と下面をガイドにして前記スクリーンより離間および当接させ得るようにしたことを特徴とする簡易往復式除塵機。
【請求項２】
前記レーキの進路を切り換える手段は、前記ガイドレールの上部切欠きに進路切換片を設け、前記レーキの両側に回転アームを設けると共に、このレーキをガイドするガイドローラを設けて、該レーキが降下するとき、前記進路切換片と前記ガイドローラにより自動的に前記ガイドレールの上面に移動し、前記スクリーンより離間させて降下できるようにしたことを特徴とする、請求項１に記載の簡易往復式除塵機。
【請求項３】
前記レーキの進路を切り換える手段は、該レーキの両側に回転アームを設けると共にこのレーキをガイドするガイドローラを設けて、該レーキを回転させる操作レバーを該アームに挿入し、人力により回転させ、前記ガイドレールの上部切欠きより上面に前記レーキの進路を切り換えて、前記スクリーンより離間させ降下できるようにしたことを特徴とする請求項１に記載の簡易往復式除塵機。
【請求項４】
前記レーキの往復駆動手段は、前記レーキの両側に設けた回転アームに連結させたワイヤーロープを、前記ガイドレールの上端両側に設けたワイヤードラムの回転により昇降させることを特徴とする請求項１から３に記載の簡易往復式除塵機。
【考案の詳細な説明】
【技術分野】
【０００１】
　本考案は、水路等に設けられる除塵用のスクリーンに付着するゴミ類を、レーキにより掻き上げる往復式除塵機に関するものである。
【背景技術】
【０００２】
　除塵用に使用される一般的な除塵機には、チェーン回転式、アーム往復式、ワイヤーロープ往復式等があるが、いずれも大規模な設備になり機構も複雑で、設置スペースを必要とし、かつコストが掛かるため小規模の設備には不向きであった。
【０００３】
　小規模な除塵用スクリーンでは、未だに熊手を使用した手作業による掻き上げが行われており、作業条件が悪く、作業員の転落事故が往々に生じていた。
【考案の開示】
【考案が解決しようとする課題】
【０００４】
　本考案は、小規模な既設の除塵用のスクリーンに取付でき、簡単な構成で、安全に操作でき、かつ安価な簡易往復式除塵機を提供するものである。
【課題を解決するための手段】
【０００５】
　本考案は、上記の課題を解決するため、請求項１の簡易往復式除塵機は、スクリーンの上面両側にガイドレールを平行に固定し、該ガイドレールの上部上面および下端上面に前記レーキの進路を切り換える切欠きを設け、前記ガイドレールに沿って前記レーキが往復移動する際に、前記ガイドレールの上面と下面をガイドに前記スクリーンより離間および当接させ得るようにしたもので機構が簡単であり安価に実施できる。
【０００６】
　また、請求項２の考案は、レーキの進路を切り換える手段であり、前記ガイドレールの上部切欠きに進路切換片を設け、前記レーキの両側に回転アームを設けると共にこのレーキをガイドするガイドローラを設けて、該レーキが降下するとき前記進路切換片と前記ガイドローラにより自動的に前記ガイドレールの上面に移動し、前記スクリーンより離間させ降下できるようにしたもので、レーキ開閉装置を設置することなく、簡単な機構で安価に実施できる。
【０００７】
　また、請求項３の考案は、レーキの進路を切り換える第２の考案であり、前記レーキの両側に回転アームを設けると共にこのレーキをガイドするローラを設けて、該レーキを回転させる操作レバーを該アームに挿入し人力により回転させ、前記ガイドレールの上部切欠きより上面に前記レーキの進路を切り換えて、前記スクリーンより離間させて降下できるようにしたもので、いずれも簡単な機構で安価に実施できる。
【０００８】
　また、請求項４の考案は、レーキの往復駆動手段であり、前記レーキの両側に設けた回転アームに連結させたワイヤーロープを、前記ガイドレールの上端両側に設けたワイヤードラムの回転により昇降させるもので、簡単な機構で安価に実施できる。
【考案の効果】
【０００９】
　本考案により、スクリーンに簡単に取り付けでき、機構が簡単なものからなり、設置スペースを小さくでき、安全で操作しやすく、かつ安価に提供し得るので小規模除塵機として好適なものである。
【実施例】
【００１０】
　図１は、本考案の１実施例の正面図、図２は、その縦断側面図、図３〜図８は拡大での説明図である。水路等に傾斜して設けた除塵用スクリーン１０の両側にガイドレール２０を平行に固定し、これに沿って昇降する移動および回転自在なレーキ３０を往復駆動させて、スクリーン１０の表面に付着したゴミ類を掻き上げ除塵する。
【００１１】
　スクリーン１０にガイドレール２０をボルトで固定する構造で、既設のスクリーンに簡単に取付ができる。
【００１２】
　ガイドレール２０に、レーキ３０の進路を切り換える切欠きを上部上面２１および下端上面２２を設ける。
【００１３】
　移動自在なレーキ３０の両側に回転自在なアーム３１を設け、このアームに回転ガイド３２およびレーキの進路切換用ガイドローラ３３を設け、またレーキ３０にはゴミ掻き取り用レーキ爪３４をスクリーン１０のバー間の噛込む位置に取り付ける。尚、回転ガイド３２に樹脂製、レーキ爪３４は櫛歯状の構造にすることもできる。
【００１４】
　レーキ３０は、ガイドレール２０に設けた上部切欠き２１より、ガイドローラ３３をガイドレール２０の上面に移動させてこれに沿わせて降下させることにより、スクリーン１０の上面より離間でき、スクリーンの表面に付着したゴミ類を押し下げることが少ないものにできる。
【００１５】
　レーキ３０の進路切換の手段は、ガイドレール２０の上部切欠きに設けた進路切換片２３と、レーキ３０の回転アーム３１に設けたガイドローラ３３により、レーキ３０を降下させることにより自動的に進路が切り換わり、ガイドレール２０の上面に移動できる。
【００１６】
　また図４は、レーキ３０の進路切換の第２手段でスクリーン１０の幅が小さい場合に、アーム３１にこれを回転させる操作レバー５０を挿入し、人力により直接回転させ、ガイドレール２０の上面に移動でき得るものとしたもので、請求項１より構造を簡単にできる。
【００１７】
　レーキ３０は、ガイドレール２０の上面をガイドに降下し下端切欠き２２でガイドローラ３３が下面に移動し、レーキ３０がスクリーン１０に当接することによりレーキ爪３４がゴミ類を捕捉し上限まで掻き上げて除塵する。
【００１８】
　レーキ３０の昇降作動は、ガイドレール２０の上端に設けた往復駆動手段４０による。レーキ３０の両側回転アーム３１に連結させたワイヤーロープ４１を連動型ワイヤードラム４２の回転で昇降させる。往復駆動手段４０に一般的な手動ウィンチ４３を使用すればネジブレーキにより逆転が防止され安全確実に操作ができる。手動ウィンチ４３は、ガイドレール２０の上端に取り付けできるので設置スペースを最小にでき、かつ簡単な機構で安価に実施できる。
【００１９】
　以上説明した実施例ではワイヤーロープによる手動式の場合を例示したが、電動式およびラック式、チェーン式も使用できる。
【図面の簡単な説明】
【００２０】
【図１】考案の実施例の正面図である。
【図２】考案の実施例の縦断側面図である。
【図３】ガイドレール上部のレーキ進路切換での自動作動状態図である。
【図４】ガイドレール上部のレーキ進路切換でのレバー操作の状態図である。
【図５】ガイドレール上面降下でのレーキ状態図である。
【図６】ガイドレール下端でのレーキ状態図である。
【図７】スクリーンおよびガイドレールとレーキ部の作動断面図である。　　　　Ａ　レーキアーム回転ガイドの断面図　　　　Ｂ　ガイドレール上面でのレーキ状態図　　　　Ｃ　ガイドレール下面でのレーキ状態図
【図８】進路自動切換方式での進路切換片の作動状態図である。　　　　Ａ　レーキ降下での切換片作動前　　　　Ｂ　切換片の作動始め　　　　Ｃ　切換片の作動状態　　　　Ｄ　レーキ上昇での切換片作動前　　　　Ｅ　切換片が全開の状態
【符号の説明】
【００２１】
　　　　１０　スクリーン
　　　　２０　ガイドレール
　　　　２１　進路切換用上部切欠き
　　　　２２　進路切換用下部切欠き
　　　　２３　進路切換用切換片
　　　　３０　レーキ
　　　　３１　回転アーム
　　　　３２　回転ガイド
　　　　３３　ガイドローラ
　　　　３４　レーキ爪
　　　　４０　往復駆動手段
　　　　４１　ワイヤーロープ
　　　　４２　ワイヤードラム
　　　　４３　手動ウィンチ
　　　　５０　回転操作レバー
　　　　６０　ゴミ受け
【図１】
0003099747.tif 000003
【図２】
0003099747.tif 000004
【図３】
0003099747.tif 000005
【図４】
0003099747.tif 000006
【図５】
0003099747.tif 000007
【図６】
0003099747.tif 000008
【図７】
0003099747.tif 000009
【図８】
0003099747.tif 000010